(57)【要約】【課題】ＬＡＮ環境で実行される仮想訓練において、電波を途絶させる機能を有しないシステムに、電波通信妨害を模擬する機能を付加する。【解決手段】仮想訓練生成部４、トレーニー１、２、３、無線模擬部５はＬＡＮに接続され、位置監視部６は、仮想訓練生成部４に接続される。仮想訓練生成部４は、トレーニー１、２、３の視野部１１、２１、３１に仮想風景を生成し、トレーニー１、２、３のナビゲーション部１２、２２、３２にそのトレーニー自らの位置及び他のトレーニーの位置を表示する。仮想訓練生成部４は、トレーニー１、２、３が所定エリアに入ったと判定したときは、ダミーオブジェクトを所定位置から既定位置に移動させる。位置監視部６は、ダミーオブジェクトが既定位置に移動されたことを検知し、無線模疑部５に仮想の電波通信妨害指示を送る。【選択図】図１
2007225929.tif 000002
【特許請求の範囲】
【請求項１】
ローカルエリアネットワーク上で、１以上のトレーニーが、仮想訓練空間中を移動しながら、仮想又は実無線音声通信及び／又は仮想無線データ通信を伴う仮想訓練を行う仮想訓練システムにおいて、
前記トレーニーの位置を把握しつつ前記トレーニーに前記仮想訓練内容を時々刻々指示する仮想訓練生成部と、
前記仮想訓練生成部から前記トレーニーの位置を読み出す位置監視部と、
前記トレーニー同士の前記仮想又は実無線音声通信及び／又は前記仮想無線データ通信を模擬する無線模擬部と、
前記仮想訓練空間中の所定位置に配置されるダミーオブジェクトとを備え、
前記仮想訓練生成部は、前記トレーニーが所定エリア内に入ったと判定したとき、前記ダミーオブジェクトを所定位置から既定位置に移動させ、
前記位置監視部は、前記ダミーオブジェクトが既定位置に移動されたと判定したとき、前記無線模疑部に仮想電波妨害指示を送り、
前記無線模擬部は、前記電波妨害指示に基づいて、前記所定エリア内に入った前記トレーニーの前記仮想又は実無線音声通信及び／または前記仮想無線データ通信を妨害することを特徴とする仮想訓練システム。
【請求項２】
ローカルエリアネットワーク上で、１以上のトレーニーが、仮想訓練空間中を移動しながら、仮想又は実無線音声通信及び／又は仮想無線データ通信を伴う仮想訓練を行う仮想訓練システムにおいて、
前記トレーニーの位置を把握しつつ前記トレーニーに前記仮想訓練内容を時々刻々指示する仮想訓練生成部と、
前記トレーニーの位置を監視する位置監視部と、
前記トレーニー同士の前記仮想又は実無線音声通信及び／又は前記仮想無線データ通信を模擬する無線模擬部とを備え、
前記位置監視部は、前記仮想訓練生成部内に設定された所定エリア情報を読み出して予め記憶しておき、前記トレーニーが前記所定エリア内に入ったと判定したときは、前記無線模擬部に仮想電波妨害指示を送り、
前記無線模擬部は、前記電波妨害指示に基づいて、前記所定エリア内に入った前記トレーニーの前記仮想又は実無線音声通信及び／または前記仮想無線データ通信を妨害することを特徴とする仮想訓練システム。
【請求項３】
請求項１において、
前記トレーニーが前記所定エリアから出たとき、前記仮想訓練生成部は前記ダミーオブジェクトを前記既定位置から前記所定位置に移動させることを特徴とする仮想訓練システム。
【請求項４】
請求項１又は２において、
前記トレーニーの前記仮想又は実無線音声通信及び／又は前記仮想無線データ通信が妨害されたときは、
当該通信妨害されたトレーニーを、表示装置上で、静止中又は移動中の自己位置を表示する一方、
他のトレーニーを、前記表示装置上で、当該切断時の位置に静止させたうえで、当該他トレーナーを、点滅表示、変色表示、又は、非表示のいずれかとすることを特徴とする仮想訓練システム。
【発明の詳細な説明】
【技術分野】
【０００１】
本発明は、電波通信妨害模擬機能付き仮想訓練システムに関し、特に、ローカルエリアネットワーク上で、１以上のトレーニーが、仮想訓練空間中を移動しながら、仮想又は無線音声通信及び／又は仮想無線データ通信を伴う仮想訓練を行う仮想訓練システムに関する。すなわち、無線通信を実装しない仮想訓練空間をＬＡＮ（Ｌｏｃａｌ  Ａｒｅａ  Ｎｅｔｗｏｒｋ）中に構築し、複数のトレーニーが擬似無線通信により協働訓練を行う際、訓練シナリオに従って電波妨害を生じさせる機能を持たせた仮想訓練システムに関する。
なお、無線音声通信は、ＬＡＮ上の場合（仮想の場合）と、実際の音声無線器を使用する場合の、両方を含むが、無線データ通信はＬＡＮ上の場合（仮想の場合）に限定する。
【背景技術】
【０００２】
各種の仮想訓練では、複数のトレーニーが、音声やデータの擬似無線通信を使用しながら、協働訓練を行うことが多い。そのため、ＬＡＮ環境を利用して、仮想訓練生成部コンピュータからトレーニーコンピュータに仮想訓練空間を提供する。トレーニーは、自立的に、又は仮想訓練生成部の指示に基づいて、仮想訓練空間中を移動し、シナリオが描く目標を達成しようとする。その際、トレーニーが或る状況で或るエリアに入った場合、擬似音声無線通信や擬似データ通信を途絶し、トレーニーを困難な状況に陥れたい場合がある。
【０００３】
なお、電波を空中に放射することなく無線通信訓練を行うシステムは、特許文献１に開示されている。このシステムは、電波通信環境模擬装置であるが、信号分析器・無線機の通信諸元が順次計測され、信号発生器から発射される電波雑音が訓練条件を満足するように制御され、実際に空中に電波を放射することなく、無線通信の訓練などが実行される。このシステムは、クライアント・サーバシステムであり、信号発生器及び信号分析器の動作を制御する計測制御部と、各々がクライアント用コンピュータで構成された運用管制部、模擬通信所、模擬空界制御部、模擬空界部、および計測制御部と、サーバ用コンピュータで構成されたシステム制御部とを接続するＬＡＮを備える。このシステムによれば、マトリクス構造の可変減衰器を用いて、無線器間の電波伝搬損失を模擬するよう構成されているので、任意に通信系を高精度に模擬することが出来る。
【特許文献１】特開２００３−６０５９１号公報（図２、段落００１６）
【発明の開示】
【発明が解決しようとする課題】
【０００４】
しかし、従来の協働仮想訓練システムでは、無線状態を変更する機能は付属していない。すなわち、電波妨害エリアを協働仮想訓練シナリオ作成時に仮想地図上に指定したいが、そのような機能は有していない。さらにいうと、無線状態を変更する機能を実現するには、外部プログラムを作成し、トレーニーが電波妨害エリアに入ったならば、電波妨害状態を模擬させる必要があるが、シナリオを作成する仮想地図上では電波妨害エリアを指定することが出来ない。システムの全てを最初から新規作成する場合は、電波状態を変化させる機能をつければよいが、既存のシステムではこの機能を実現するのが困難であった。
【０００５】
そこで、本発明の課題は、ＬＡＮ環境で実行される仮想訓練において、電波を途絶させる機能を有しないシステムに、電波妨害模擬機能を付加することである。
【課題を解決するための手段】
【０００６】
上述した課題を解決するため、本発明では、第１に、前記トレーニーの位置を把握しつつ前記トレーニーに前記仮想訓練内容を時々刻々指示する仮想訓練生成部と、前記仮想訓練生成部から前記トレーニーの位置を読み出す位置監視部と、前記トレーニー同士の前記仮想又は実無線音声通信及び／又は前記仮想無線データ通信を模擬する無線模擬部と、前記仮想訓練空間中の所定位置に配置されるダミーオブジェクトとを備え、前記仮想訓練生成部は、前記トレーニーが所定エリア内に入ったと判定したとき、前記ダミーオブジェクトを所定位置から既定位置に移動させ、前記位置監視部は、前記ダミーオブジェクトが既定位置に移動されたと判定したとき、前記無線模疑部に仮想電波妨害指示を送り、前記無線模擬部は、前記電波妨害指示に基づいて、前記所定エリア内に入った前記トレーニーの前記仮想又は実無線音声通信及び／または前記仮想無線データ通信を妨害する。
【０００７】
本発明では、第２に、トレーニーの位置を把握しつつトレーニーに仮想訓練内容を時々刻々指示する仮想訓練生成部と、トレーニーの位置を監視する位置監視部と、トレーニー同士の仮想又は実無線音声通信及び／又は仮想無線データ通信を模擬する無線模擬部とを備え、位置監視部は、仮想訓練生成部内に設定された所定エリア情報を読み出して記憶しておき、トレーニーが所定エリア内に入ったと判定したときは、無線模擬部に仮想電波妨害指示を送り、無線模擬部は、電波妨害指示に基づいて、所定エリア内に入ったトレーニーの仮想又は実無線音声通信及び／または仮想無線データ通信を妨害する。
【０００８】
本発明では、第３に、トレーニーが所定エリアから出たとき、仮想訓練生成部はダミーオブジェクトを既定位置から所定位置に移動させる。
【０００９】
本発明では、第４に、トレーニーの仮想又は実無線音声通信及び／又は仮想無線データ通信が妨害されたときは、当該通信妨害されたトレーニーを、表示装置上で、静止中又は移動中の自己位置を表示する一方、他のトレーニーを、表示装置上で、当該切断時の位置に静止させたうえで、当該他トレーナーを、点滅表示、変色表示、又は、非表示のいずれかとする。
【００１０】
本発明によれば、第１に、仮想訓練生成部は、トレーニーが所定エリア内に入ったと判定したとき、ダミーオブジェクトを所定位置から既定位置に移動させ、位置監視部は、トレーニーが所定エリア内に入ったと判定したとき、無線模疑部に仮想電波妨害指示を送る。このように、ダミーオブジェクトを使用し、ダミーオブジェクトが既定位置にあるときのみ、仮想無線通信が妨害される。
【００１１】
本発明によれば、第２に、位置監視部は、仮想訓練生成部内に設定された所定エリア情報を読み出して予め記憶しておき、トレーニーが所定エリア内に入ったと判定したときは、無線模擬部に仮想電波妨害指示を送る。このように、ダミーオブジェクトを使用することなく、トレーニーが諸例エリアに入ったときのみ、仮想無線通信が妨害される。
【００１２】
本発明によれば、第３に、トレーニーが所定エリアから出たときに、ダミーオブジェクトを所定位置に戻すことにより、仮想無線妨害を解除することが出来る。
【００１３】
本発明によれば、第４に、各トレーニーの表示装置ごとに仮想無線通信妨害状態が表示され、表示に応じてトレーニーは取るべきアクションを決定することが出来る。
【発明の効果】
【００１４】
本発明によれば、ＬＡＮ環境で実行される仮想訓練において、電波を途絶させる機能を有しないシステムに、電波通信妨害を模擬する機能を付加することが出来る。
【発明を実施するための最良の形態】
【００１５】
以下、図面を参照して本発明の実施の形態について説明する。但し、本実施形態に記載されている構成部品の寸法、材質、形状、その相対的配置等に特定的な記載があっても、本発明をそれに限定する趣旨ではない。
【００１６】
図１は、本実施形態の無線妨害機能付き仮想訓練システムのブロック図である。このシステムは、ローカルエリアネットワーク（ＬＡＮ）上で、仮想訓練生成部４が、１以上のトレーニー１、２、３（３者としたのは簡単のためである）に、仮想訓練を行わせるシステムである。
【００１７】
仮想訓練は、トレーニー１、２、３が協働して、共通の目的を達成すべく作成されたものであれば、なんら制限がない。ただし、仮想訓練シナリオに応じて、仮想無線通信が妨害される環境下で仮想訓練が行われる。
【００１８】
仮想訓練生成部４は、トレーニー１、２、３からなるグループの連携・統制を訓練するため、例えば、トレーニー１の前方視野部１１（図１では、視野部１１などと記載している）の中に移動体から見える１人称視点での前方風景を生成する。これを見ながら、さらに、ナビゲーション部１２（図１では、ＮＡＶＩ部１２などと記載している）に映し出される自らの位置及び他のトレーニー２、３の位置トレーニー１を参照して、自発的に、又は、仮想訓練生成部４の指示に基づいて、行動する。
【００１９】
訓練シナリオは、予め作成されており、トレーニーグループに対する別のグループの配置、行動定義（トレーニーググループや別のグループのスタート位置、シナリオ終了トリガ位置）などが、仮想訓練生成部４の計算機内の仮想訓練空間内に展開される。
【００２０】
この仮想訓練システムの特徴は、第１に、音声無線通信と、データ無線通信を対象として、無線状況の模擬を行うことである。そのため、各トレーニー１、２、３には音声通信装置に音声ＳＷ１２、２２、３２がそれぞれ設けられ、訓練シナリオに定められた所定状況が発生したことを、ダミーオブジェクトの位置を監視する位置監視部６が検知したら、位置監視部６は、無線模擬部５に仮想無線通信を妨害するよう指示する。すると、無線模擬部５は、音声通信装置に設けられた音声ＳＷ１２、２２、３２の一部又は全部をオフして、音声無線通信を妨害する（音声無線通信を途絶する）。なお、実際の無線器を使用する実無線音声通信を妨害するためには、通信妨害用の実無線機を用意し、ここからトレーニーの無線通信を妨害すればよい。データ無線通信の妨害は、無線模擬部５が、ＬＡＮ制御経路Ｃ１、Ｃ２、Ｃ３を使って、トレーニー１、２、３の一部又は全部のＬＡＮ接続を切断することによる。なお、データ通信の妨害には、物理的にＬＡＮ接続を切断するのではなく、接続表示を点滅、又は消灯などすることにより、つながっていないようにみせてもよい。
【００２１】
この仮想訓練システムの特徴は、第２に、トレーニーグループの連携・統制の模擬を行うことである。そのため、各トレーニー１、２、３には、ＮＡＶＩ部１２、２２、３２が設けられ、トレーニーグループ及び別のグループの状況（移動体位置）を、ナビゲーション用のディスプレイに表示する。
【００２２】
なお、データ無線通信を妨害されたトレーニーのＮＡＶＩ部のディスプレイには、他のトレーニー（移動体）の位置を表示しないこととするか、又は、点滅表示、変色表示とする。変色表示とは、例えば、灰色に表示するということである。
【００２３】
図２は、無線模擬部５が、トレーニー１の音声ＳＷをＯＦＦし、トレーニー２、３の音声ＳＷをＯＮ継続とした場合のブロック図である。ここでは、説明の簡単のため、ＬＡＮ接続はなんら変更しないものとするが、訓練シナリオの態様に応じてＬＡＮ接続の一部又は全部が切断される場合もある。
【００２４】
仮想音声無線通信と仮想データ無線通信を、異なる周波数帯域で行われることとすれば、電波妨害もそれぞれ独立に模擬することが出来る。
【００２５】
図２を参照すると、トレーニー１は、他のトレーニー２、３と音声無線通信が出来ないが、データ無線通信を行うことが出来る。この場合、トレーニー１のＮＡＶＩ部１２には、トレーニー２、３の位置は依然として表示され続けられる。
【００２６】
図３は、トレーニー１が他のトレーニー２、３とデータ無線通信が出来ないよう無線状況を模擬したものである。そのため、無線模擬部５は、トレーニー１のＬＡＮアドレスを変更するなどしてＬＡＮ接続を切断する。なお、既に述べたとおり、データ通信の妨害には、物理的にＬＡＮ接続を切断するのではなく、接続表示を点滅、又は消灯などすることにより、つながっていないようにみせてもよい。この場合、各音声ＳＷは全てＯＮ継続とされ、音声無線通信はなんら妨害されていない。この場合、トレーニー１のＮＡＶＩ部１２には、トレーニー２、３の位置は、点滅表示、変色表示、又は、非表示のいずれかとされる。データ無線通信が妨害されると、トレーニー２、３の位置は、トレーニー１には把握することが出来ない。そのため、トレーニー２、３を、ＬＡＮ接続切断時の位置に静止させ、点滅表示、変色表示としてもよい。
【００２７】
以上、図２、図３を参照して、音声無線通信とデータ無線通信を独立に妨害する電波状況模擬について説明したが、訓練シナリオに応じて、両者を同時に妨害してもよい。
【００２８】
なお、図１ないし図３において、仮想訓練生成部４とトレーニー１、２、３は、ＬＡＮケーブルなどＳ１、Ｓ２、Ｓ３でクライアント・サーバ型に接続される。各クライアント（トレーニー）にそれぞれの訓練内容を渡すだけのためにトレーニー同士の通信は必要ないからである。トレーニー１、２、３同士は、ＬＡＮケーブルなどＲ１、Ｒ２、Ｒ３、でピア・ツー・ピア型に接続される。クライアント同士が通信し、協働して、対抗する別のグループに打ち克ち、ひとつの目標を達成する必要があるからである。無線模擬部５とトレーニー１、２、３はＬＡＮケーブルなどＣ１、Ｃ２、Ｃ３でクライアント・サーバ型に接続される。各クライアントの無線状況は、無線模擬部５が作り出すからである。
【００２９】
図４は、仮想訓練生成部４によるトリガ設定の一例である。このトリガ設定により、トレーニー１のデータ無線通信が妨害される。具体的には、まず、仮想訓練空間内に所定のターゲットエリアＴＡを設ける。エリアＴＡの形は、円、長方形など自由である。トリガ条件は、トレーニー１、２、３のいずれかがエリアＴＡに侵入することとする。図４では、トレーニー１が、エリアＴＡの境界上にあり、トレーニー２、３はエリアＴＡから遠く離れている。なお、ダミーオブジェクトＤについては、後述する。
【００３０】
そこで、仮想訓練生成部４は、トレーニー（この場合はトレーにー１）がエリアＴＡに入った場合、ダミーオブジェクトＤを既定位置に移動させる。一方、トレーニー（この場合はトレーニー１）がエリアＴＡから出た場合、ダミーオブジェクトＤを既定位置から所定位置に移動させる。ここに、所定位置と既定位置は異なる位置である。例えば、所定位置（ｘ、ｙ）座標を、（１０００、１０００）とし、既定位置を（０、０）などとする。
【００３１】
ダミーオブジェクトＤは、無線模擬部５に無線妨害指示を出すために設けられるものであり、トレーニーには見えない位置に配置するとよい。
【００３２】
ダミーオブジェクトＤの使い方については、後述する。
【００３３】
図５は、仮想訓練生成部４が監視する仮想訓練空間内のオブジェクトの一例である。仮想訓練空間は、電子地図によって定義され、電子地図上のオブジェクトの位置情報は、通常市販のプログラムでは、外部に取り出せるようになっているが、本実施例でも、そのように仮定する。
【００３４】
図５を参照すると、トレーニーのオブジェクトが３つ監視対象となり、別のグループのオブジェクトが３つ以上監視対象となり、ダミーオブジェクトＤも監視対象である。これらのオブジェクトは、一般的には、移動体であるが、訓練状況に応じて、静止又は移動する。なお、ダミーオブジェクトは、静止しており、電波妨害を模擬するときだけ、所定位置と既定位置の間を、仮想訓練生成部４によって、移動させられる。
【実施例１】
【００３５】
［ダミーオブジェクトによる音声無線状況模擬］
最初から全てを新規作成する場合は、外部無線状態模擬装置に対して、電波状態を伝えることが出来るように作ればよい。しかしながら、既存システム（或いは市販システム）の場合は、このような機能がなく実現が難しい。
【００３６】
通常、外部に対して、各オブジェクト（移動体）などの位置情報は取り出すことが出来る。そこで、無線状態を示すダミーのオブジェクトを配置して（或いは、見えない場所に配置して）、トレーニーが所定エリアＴＡに入ると、ダミーオブジェクトＤの状態（例えば、位置座標）を変更するようトリガプログラムを実行させる。外部プログラムは、ダミーオブジェクトに注目し、ダミーオブジェクトの状態が変更されたら、位置監視部６から無線模擬部５に通信妨害指示を出し、ジャミング装置を有効にし（音声ＳＷをオフし）、トレーニーの一部又は全部の音声無線通信を無効にする。
【００３７】
実施例１によれば、無線無効エリアを地図上で指定することが出来る。このように、無線電波状態を想定していない訓練システムに対して、音声無線状態の有効・無効状態を作り出せる。
【００３８】
図６は、実施例１を実施するためのフローチャートである。まず、Ｓ６０において、仮想訓練生成部４は、現在時刻のダミーオブジェクトＤの位置座標、訓練シナリオに基づいて設定されたターゲットエリアＴＡの座標を取得する。
【００３９】
次に、Ｓ６１において、仮想訓練生成部４は、トレーニー１、２、３を出発させるトリガをかける。
【００４０】
次に、Ｓ６２において、仮想訓練生成部４は、トレーニー１、２、３がエリアＴＡに入ったか否かを判定する。エリアに入っていなかった場合は、判定を継続するが、エリアに入ったと判定された場合には、Ｓ６３に進み、ダミーオブジェクトＤを既定位置（例えば、座標原点）に移動させる。
【００４１】
次に、Ｓ６３において、位置監視部６は、仮想訓練生成部４から、ダミーオブジェクトの座標を受け取り、当該座標が既定位置座標になっていることにより、無線模擬部５に通信妨害指示を送り、エリアＴＡに入ったトレーニーの音声無線通信を妨害する。
【００４２】
最後に、Ｓ６５において、仮想訓練生成部４は、仮想訓練を一時（例えば、１秒）停止してＳ６１に戻る。一時停止するのは、トレーニーに状況判断をさせる余裕を与えるためである。
【実施例２】
【００４３】
［ダミーオブジェクトによるデータ無線状況模擬］
最初から仮想訓練システムの全てを新規作成する場合は、外部無線状態模擬装置に対して、電波状態を伝えることが出来るよう作ればよい。しかしながら、既存システム（或いは市販システム）の場合は、このような機能がなく実現が難しい。
【００４４】
通常、既存システムでは、外部に対して、各オブジェクト（移動体）などの位置情報は取り出すことが出来る。そこで、無線状態を示すダミーのオブジェクトを配置して（或いは、見えない場所に配置して）、トレーニーが所定エリアに入ると、ダミーオブジェクトＤの状態（例えば、位置座標）を変更するようトリガプログラムを実行させる。外部プログラムは、ダミーオブジェクトＤに注目し、ダミーオブジェクトＤの状態が変更されたら、ＮＡＶＩ部１２、２２、３２への通信状態を無効にする。
【００４５】
実施例２によれば、ＮＡＶＩ部１２、２２、３２に対して、無線無効状態を作り出せる。しかし、無線無効状態となった場合、自分自身の位置は表示されるが、他のトレーニーの最新位置は表示できなくなる。そこで、最新座標値が得られなくなったトレーニーについては、例えば、点滅表示やグレー表示とする。
【００４６】
図７は、実施例２を実施するためのフローチャートである。まず、Ｓ７０において、仮想訓練生成部４は、仮想訓練終了信号が出ていないことを確認したうえで、Ｓ７１に進み、全トレーニーに出発トリガをかける。
【００４７】
次に、Ｓ７２において、仮想訓練生成部４は、特定のトレーニーの追跡を始める。図７では最初に注目したトレーニーにＩ＝１の認識番号を与えている。
【００４８】
次に、Ｓ７３において、仮想訓練生成部４は、トレーニー１の位置座標を取得する。
【００４９】
次に、Ｓ７４において、仮想訓練生成部４はトレーニーＴｘの位置座標を獲得する。位置監視部６は、トレーニー２、３がターゲットエリア内にいるか否かをダミーオブジェクトに注目して監視する。なお、実施例１と同様に、ダミーオブジェクトＤの位置を所定位置（通常状態）から既定位置（無線妨害状態）に移動させるのは、仮想訓練生成部４の役割である。ところで、本実施例２では、トレーニーの位置を独立に監視しなければならないため、トレーニー１用のダミーオブジェクト１に加えて、トレーニー２、３用のダミーオブジェクト２、３を使用する必要がある。そこで、各ダミーオブジェクトの所定位置座標（例えばＸ座標）を、例えば、全て、０００とし、また、ダミーオブジェクト１、２、３の既定位置座標を、それぞれ００１、０１０、１００とする。これにより、位置監視部６は、トレーニーＴｘの位置、この場合はトレーニー２、３の位置を独立に判定することが出来る。判定の結果どのトレーニーＴｘもデータ無線妨害を受けていないときは、Ｓ７７に進み、Ｉを１だけインクリメントして、次に注目するトレーニーを追跡するため、Ｓ７２に戻る。
【００５０】
一方、Ｓ７４において、トレーニー１以外のトレーニーＴｘが所定ターゲットエリアＴＡ内にいると判定された場合には、Ｓ７５に進む。
【００５１】
Ｓ７５では、実施例１と同様に、位置監視部６は、仮想訓練生成部４によるダミーオブジェクトの位置変更（所定位置から既定位置への変更）を検知したら、無線模擬部５へ電波妨害指示を送る。無線模擬部５では、位置監視部６から、データ無線妨害を受けているトレーニーＴｘを通知され、トレーニー１のＮＡＶＩ部１２上でトレーニーＴＸの表示を点滅表示、灰色表示、又は非表示に切り替える。
【００５２】
次に、Ｓ７６において、仮想訓練生成部４は、仮想訓練を一時（例えば、１秒）停止する。これは、トレーニー１に状況判断をさせる余裕を与えるためである。
【００５３】
最後に、Ｓ７７に進み、Ｉを１だけインクリメントして、次に注目するトレーニーを指定し、Ｓ７２に戻る。
【実施例３】
【００５４】
［エリア情報取得による無線状況模擬］
無線状況を模擬するために、位置監視部６内の外部プログラムに対して、仮想訓練シナリオ作成時に地図上に設定した無線無効設定エリアＴＡの座標情報を与える。実施例３では、ダミーオブジェクトは使用しない。
【００５５】
位置監視部６は、上述した外部プログラムを格納し、仮想訓練生成部４に代わって、無線を無効に設定するターゲットエリアＴＡに侵入するトレーニーを監視する。
【００５６】
実施例３によれば、仮想訓練生成部４の計算負担が軽減される。特に、トレーニーグループのメンバー、トレーニーグループに対抗する別のグループの数が多いほど、実施例３は有益である。また、仮想訓練を高速に実行する場合にも有益である。
【００５７】
図８は、実施例３を実施するためのフローチャートである。まず、Ｓ９０において、位置監視部６は、仮想訓練生成部４内のプログラムに格納されたシナリオ定義ファイルにアクセスし、ターゲットエリアＴＡ位置を読み込み、位置監視部ないのプログラムに予め記憶させておく。
【００５８】
次に、Ｓ９１において、仮想訓練生成部４は、全てのトレーニーに出発トリガをかける。
【００５９】
次に、Ｓ９２において、位置監視部６は、ターゲットエリアＴＡに入ったトレーニーはいるか否かを判定する。判定の結果、もし、いなければ、判定を繰り返す。一方、もし、いれば、Ｓ９４に進む。
【００６０】
次に、Ｓ９４において、無線模擬部５は、位置監視部６から、電波妨害開始の通知を受け、ターゲットエリアＴＡに入ったトレーニーのデータ無線通信を妨害する。
【００６１】
次に、Ｓ９５において、仮想訓練を一時（例えば、１秒）停止する。これは、電波妨害を受けたトレーニーに状況判断の余裕を与えるためである。
【００６２】
次に、Ｓ９６において、仮想訓練生成部４は、仮想訓練を継続するか否かを判定し、継続するときは、Ｓ９１に戻る。一方、継続しないときは、全ての処理を終了させる。
【産業上の利用可能性】
【００６３】
本発明は、無線通信を実装しない仮想訓練空間をＬＡＮ（Ｌｏｃａｌ  Ａｒｅａ  Ｎｅｔｗｏｒｋ）中に構築し、複数のトレーニーが擬似無線通信により協働訓練を行う際、シナリオに従って電波通信妨害を模擬させる機能を持たせることに利用可能である。
【図面の簡単な説明】
【００６４】
【図１】本実施形態の仮想訓練装置のブロック図である。
【図２】仮想訓練装置に音声無線通信障害を模擬したときのブロック図である。
【図３】仮想訓練装置にデータ無線通信障害を模擬したときのブロック図である。
【図４】仮想訓練生成部による電波障害トリガを説明する電子地図である。
【図５】仮想訓練生成部が監視する電子地図上のオブジェクトの一例である。
【図６】実施例１を実施するためのフローチャートである。
【図７】実施例２を実施するためのフローチャートである。
【図８】実施例３を実施するためのフローチャートである。
【符号の説明】
【００６５】
１、２、３        トレーニー
１１、２１、３１  視野部
１２、２２、３２  ＮＡＶＩ部
４                仮想訓練生成部
５                無線模擬部
６                位置監視部
Ｓ１、Ｓ２、Ｓ３  仮想訓練生成部とトレーニーとをクライアント・サーバ接続する経路Ｒ１、Ｒ２、Ｒ３  トレーニー同士をピア・ツー・ピア接続する経路
Ｃ１、Ｃ２、Ｃ３  無線模擬部とトレーニーとをクライアント・サーバ接続する経路
ＴＡ              トレーニーの進入を条件に無線障害を模擬させるターゲットエリア
Ｄ                無線模擬を行わせるための標識であるダミーオブジェクト
【図１】
2007225929.tif 000003
【図２】
2007225929.tif 000004
【図３】
2007225929.tif 000005
【図４】
2007225929.tif 000006
【図５】
2007225929.tif 000007
【図６】
2007225929.tif 000008
【図７】
2007225929.tif 000009
【図８】
2007225929.tif 000010